(57)【特許請求の範囲】
【請求項１】
吹出口を有するケーシングに、複数の翼を有する羽根車が収容された送風部と、
前記送風部から送られる気体と熱交換する熱交換器と、
前記吹出口の上縁部と前記熱交換器の上端部との間に配設されて前記気体の流路となる上部ガイドおよび前記吹出口の下縁部と前記熱交換器の下端部との間に配設されて前記気体の流路となる下部ガイドを有し、側方側が開放されるガイド部とを備え、
前記吹出口と相対して前記送風部を見たとき、前記上部ガイドおよび前記下部ガイドの少なくとも一方は、側方方向が円弧状になった曲面を有する室内機。
【請求項２】
前記上部ガイドおよび前記下部ガイドの少なくとも一方は、前記吹出口側から前記熱交換器側に沿ったリブを有する請求項１に記載の室内機。
【請求項３】
前記上部ガイドおよび前記下部ガイドの少なくとも一方は、前記吹出口から前記熱交換器に向けて、前記側方方向に拡大した形状である請求項１または請求項２に記載の室内機。
【請求項４】
前記上部ガイドおよび前記下部ガイドの少なくとも一方は、側方端部が傾斜した傾斜部を有する請求項１〜請求項３のいずれか１項に記載の室内機。
【請求項５】
前記ガイド部の前記上部ガイドは、前記熱交換器の上端部側に向けて反った曲面の壁を有する請求項１〜請求項４のいずれか１項に記載の室内機。
【請求項６】
前記ガイド部の前記下部ガイドは、前記熱交換器の下端部側に向けて反った曲面の壁を有する請求項１〜請求項５のいずれか１項に記載の室内機。
【請求項７】
前記熱交換器を収容する本体ユニットと、
前記送風部を収容する送風ユニットとを有し、
前記ガイド部は、前記本体ユニット内に取り付けられる請求項１〜請求項６のいずれか１項に記載の室内機。
【請求項８】
前記送風部は、前記熱交換器に対向して複数の前記ケーシングが並列に並べられて配置される請求項１〜請求項７のいずれか１項に記載の室内機。
【請求項９】
複数の前記ケーシングに対して、前記上部ガイドおよび前記下部ガイドが１つ配置される請求項８に記載の室内機。
【請求項１０】
矩形状の吹出口を有するケーシングに、複数の翼を有する羽根車が収容され、前記羽根車が前記吹出口の上縁部から下縁部の方向に回転するように設置された送風部と、
前記送風部から送られる気体と熱交換する熱交換器と、
前記吹出口の上縁部から前記熱交換器の上端部に向けて配設されて前記気体の流路となる上部ガイドおよび前記吹出口の下縁部から前記熱交換器の下端部に向けて配設されて前記気体の流路となる下部ガイドを有し、側方側が開放されるガイド部と
を備え、
前記吹出口の上縁部が、前記熱交換器の上端部よりも上下方向において下側に位置し、前記ガイド部の前記上部ガイドは、前記熱交換器の上端部側に向けて、下に凸の形状となって反った曲面の壁を有する室内機。
【請求項１１】
矩形状の吹出口を有するケーシングに、複数の翼を有する羽根車が収容され、前記羽根車が前記吹出口の上縁部から下縁部の方向に回転するように設置された送風部と、
前記送風部から送られる気体と熱交換する熱交換器と、
前記吹出口の上縁部から前記熱交換器の上端部に向けて配設されて前記気体の流路となる上部ガイドおよび前記吹出口の下縁部から前記熱交換器の下端部に向けて配設されて前記気体の流路となる下部ガイドを有し、側方側が開放されるガイド部と
を備え、
前記吹出口の下縁部が、前記熱交換器の下端部よりも上下方向において上側に位置し、前記ガイド部の前記下部ガイドは、前記熱交換器の下端部側に向けて、下に凸の形状となって反った曲面の壁を有する室内機。
【請求項１２】
請求項１〜請求項１１のいずれか１項に記載の室内機を備える空気調和装置。
【発明の詳細な説明】
【技術分野】
【０００１】
本発明は、室内機およびそれを備えた空気調和装置に関するものである。特に、室内機内において気体を整流する構造に関するものである。
【背景技術】
【０００２】
たとえば、渦型ケーシングの吹出口から熱交換器の近傍まで、高さ方向および幅方向に拡大させたディフューザ部を有する、空気調和装置の室内機が開示されている（たとえば、特許文献１参照）。
【先行技術文献】
【特許文献】
【０００３】
【特許文献１】特開２０１０−１１７１１０号公報
【発明の概要】
【発明が解決しようとする課題】
【０００４】
従来の天井埋込形の室内機においては、送風部の吹出口の幅に対し、熱交換器の幅が大きい。したがって、熱交換器を通過する風速分布が幅方向に不均一となる。このため、熱交換器における圧力損失が増大し、ファンの効率低下、騒音増大などの原因となっていた。また、室内機を小型化するために、渦型ケーシングの吹出口に対して、熱交換器が斜めになっている。したがって、渦型ケーシングの吹出口と熱交換器との距離が離れてしまう。このため、ファンから吐出した気流がユニットの風路壁面形状の影響を受けて、ファン効率低下、騒音増大などの原因となっていた。【０００５】
たとえば、特許文献１に記載された技術を適用することで、送風部の吹出口の幅と熱交換器の幅との差、ファン吐出口から熱交換器までの距離が短くなる。しかし、ディフューザの拡大部で急激に風路が拡大することになる。このため、風路壁面に沿って気流が広がりにくく、逆に、圧力損失の原因となっていた。また、ディフューザにガイドを設けることで気流が拡大しやすくなる。しかし、ガイドの圧力損失により、ディフューザ拡大の改善効果が十分に得られないという課題があった。また、渦型ケーシングの吹出風路において、隣接する渦型ケーシングの間の空間は気流が乱れる。このため、渦が発生しやすく、圧力損失の原因となっていた。【０００６】
本発明は、上記のような課題に鑑みてなされたものであり、より高効率で、低騒音を実現する室内機などを提供することを目的とする。
【課題を解決するための手段】
【０００７】
上述した目的を達成するため、本発明に係る室内機は、吹出口を有するケーシングに、複数の翼を有する羽根車が収容された送風部と、送風部から送られる気体と熱交換する熱交換器と、吹出口の上縁部と熱交換器の上端部との間に配設されて気体の流路となる上部ガイドおよび吹出口の下縁部と熱交換器の下端部との間に配設されて気体の流路となる下部ガイドを有し、側方側が開放されるガイド部とを備え、吹出口と相対して送風部を見たとき、上部ガイドおよび下部ガイドの少なくとも一方は、側方方向が円弧状になった曲面を有するものである。
【０００８】
また、本発明に係る空気調和装置は、上記の室内機を備えるものである。
【発明の効果】
【０００９】
本発明によれば、送風部の吹出口から熱交換器に送られる気体を整流し、圧力損失を抑えることができる。また、送風部の吹出口付近に発生する渦領域を縮小することができる。そして、側方を開放することで、熱交換器に流入する気体における風速分布を均一化することができる。このため、より高効率化、低騒音化などをはかることができる。
【図面の簡単な説明】
【００１０】
【図１】本発明の実施の形態１に係る室内機の斜視模式図である。
【図２】本発明の実施の形態１に係る室内機における内部構成を説明する模式図である。
【図３】本発明の実施の形態１に係る空気調和装置の室内機を説明する図（その１）である。
【図４】本発明の実施の形態１に係る空気調和装置の室内機を説明する図（その２）である。
【図５】本発明の実施の形態１に係る空気調和装置の室内機における送風部２０の斜視図である。
【図６】本発明の実施の形態２に係る空気調和装置の室内機を説明する図である。
【図７】本発明の実施の形態２に係るガイド部１１が有するリブ１２の形状を示す図（その１）である。
【図８】本発明の実施の形態２に係るガイド部１１が有するリブ１２の形状を示す図（その２）である。
【図９】本発明の実施の形態３に係る空気調和装置の室内機を説明する図である。
【図１０】本発明の実施の形態４に係る空気調和装置の室内機における送風部２０を説明する図である。
【図１１】本発明の実施の形態５に係る空気調和装置の室内機を説明する図である。
【図１２】本発明の実施の形態６に係る空気調和装置の室内機を説明する図である。
【図１３】本発明の実施の形態７に係る空気調和装置の室内機を説明する図である。
【図１４】本発明の実施の形態８に係る空気調和装置の室内機を説明する図である。
【図１５】本発明の実施の形態９に係る空気調和装置の室内機における送風部２０を説明する図である。
【図１６】本発明の実施の形態１０に係る空気調和装置の構成を示す図である。
【発明を実施するための形態】
【００１１】
以下、発明の実施の形態に係る室内機などについて、添付図面などを参照しながら説明する。以下の図面において、同一の符号を付したものは、同一またはこれに相当するものであり、以下に記載する実施の形態の全文において共通することとする。そして、明細書全文に表わされている構成要素の形態は、あくまでも例示であって、明細書に記載された形態に限定するものではない。特に構成要素の組み合わせは、各実施の形態における組み合わせのみに限定するものではなく、他の実施の形態に記載した構成要素を別の実施の形態に適用することができる。また、以下の説明において、図における上方を「上側」とし、下方を「下側」として説明する。さらに、理解を容易にするために、方向を表す用語（たとえば「右」、「左」、「前」、「後」など）などを適宜用いるが、説明のためのものであって、これらの用語は本願に係る発明を限定するものではない。そして、図面では各構成部材の大きさの関係が実際のものとは異なる場合がある。
【００１２】
実施の形態１．
図１は、本発明の実施の形態１に係る室内機の斜視模式図である。また、図２は、本発明の実施の形態１に係る室内機における内部構成を説明する模式図である。実施の形態１における室内機は、たとえば、空気調和装置、加湿装置、除湿装置、冷凍装置などとして、対象の空間を暖房、冷房、加除湿などをするために、天井裏などに設置される装置である。ここでは、空気調和装置の室内機であるものとして説明する。したがって、気体は空気であるものとして説明する。
【００１３】
図１および図２に示すように、実施の形態１における室内機は、ケース１を備えている。ケース１の形状は、任意の形状を採用することができる。一例として、ここでは、ケース１が、直方体状であるものとする。ケース１は、上面部１ａ、下面部１ｂおよび側面部１ｃを含む。側面部１ｃは４つの面がある。また、室内機は、後述する仕切板１０を境として、本体ユニット１５と送風ユニット１６とに分かれている。本体ユニット１５と送風ユニット１６とを組み合わせて室内機が構成される。
【００１４】
ケース１の側面部１ｃにおける面のうち、１つの面側には、ケース吹出口２が設けられている。ケース吹出口２の形状は、任意の形状を採用することができる。ここでは、ケース吹出口２の形状が、矩形状であるものとする。また、ケース１の側面部１ｃにおける面のうち、ケース吹出口２を有する面と反対側の面側に、ケース吸込口８が設けられている。ケース吸込口８の形状は、任意の形状を採用することができる。ここでは、ケース吸込口８の形状が、矩形状であるものとする。特に限定するものではないが、たとえば、ケース吸込口８には、気体からの除塵を行うフィルタが設けられていてもよい。ここで、室内機において、ケース吹出口２が設けられた面を正面（前面）とする。そして、正面側から見て上下となる方向を、高さ方向または上下方向とする。また、左右となる方向を、幅方向または回転軸方向とし、前後となる方向を、前後方向または奥行き方向とする。
【００１５】
ケース１内には、送風部２０、ファンモータ４および熱交換器６が収容されている。熱交換器６は、送風部２０の空気流出側からケース吹出口２までの空気の流路となる位置に配置される。熱交換器６は、送風部２０から送られる空気の温度および湿度の少なくとも一方を調整する。ここで、熱交換器６は、ケース吹出口２の形状に合わせて矩形状であるものとする。熱交換器６の構成、態様などについては、特に限定されるものではない。実施の形態１における熱交換器６は、特別なものではなく、周知のものが用いられている。たとえば、フィンアンドチューブ型の熱交換器の場合、熱交換器６を通過する空気と伝熱管（図示せず）を通過する冷媒とを熱交換させて、空気の温度、湿度の少なくとも一方を調整する。
【００１６】
ファンモータ４および送風部２０は、送風機を構成する。ファンモータ４は、電力が供給されると駆動し、渦型ケーシング７内のファン３を回転させる。ファンモータ４は、たとえば、ケース１の上面部１ａに固定されたモータサポート４ａにより、支持されている。ファンモータ４は、回転軸Ｘを有する。回転軸Ｘは、側面部１ｃのうち、ケース吸込口８が設けられた面およびケース吹出口２が設けられた面に沿って、幅方向に平行に伸びるように配置されている。
【００１７】
実施の形態１における送風部２０は、１または複数の渦型ケーシング７を有している。図２に示すように、実施の形態１の室内機においては、２台の渦型ケーシング７を有している。そして、各渦型ケーシング７内には、多翼遠心型のファン３とベルマウス５とが設置されている。送風部２０のファン３は、前述したファンモータ４の回転軸Ｘに取り付けられている。図２に示す室内機では、各渦型ケーシング７が有する２台のファン３が、並列に、回転軸Ｘに取り付けられている。したがって、２台のファン３および渦型ケーシング７は、幅方向に並んでいる。ここでは、送風部２０が、２台の渦型ケーシング７およびファン３を有するものとして説明する。ただし、設置台数について限定するものではない。
【００１８】
図３および図４は、本発明の実施の形態１に係る空気調和装置の室内機を説明する図である。図３では、室内機の内部構成について、上面側から示している。また、図４では、室内機の内部構成について、回転軸方向に室内機を見た場合について示している。そして、図５は、本発明の実施の形態１に係る空気調和装置の室内機における送風部２０の斜視図である。
【００１９】
送風部２０のファン３は、ケース吸込口８からケース１内に吸込まれ、ケース吹出口２から対象空間へと吹出される空気の流れを作る羽根車となる。ファン３は、主板３ａ、側板３ｃおよび複数の翼３ｄを備える。主板３ａは、円盤状であり、中心部にボス部３ｂを具備する。ボス部３ｂの中央には、ファンモータ４の回転軸Ｘが接続される。ファン３は、ファンモータ４の駆動によって回転される。ここで、ファン３の回転方向は、高さ方向（上下方向）となる。側板３ｃは、主板３ａに対向して設けられ、リング状に形成される。側板３ｃにおけるリングの穴は、ベルマウス５を介して、空気が流入する流入口となる。複数の翼３ｄは、主板３ａと側板３ｃとの間に、回転軸Ｘを囲むように設けられる。複数の翼３ｄは、相互に同一形状で設けられる。翼３ｄは、内周側の翼前縁より外周側の翼後縁が回転方向に前進して位置した前向き羽根で形成されている。
【００２０】
渦型ケーシング（スクロールケーシング）７は、ファン３を収容し、囲うように設けられる。そして、渦型ケーシング７は、ファン３から吹出された空気を整流する。渦型ケーシング７は、ファン３の外周端に沿って延在する周壁７ａを備える。そして、周壁７ａの一か所には、舌部７ｂを有する。舌部７ｂの部分を機転として周壁７ａから突出した部分は、端部がファン吹出口７ｄとなっている。ファン３の回転によってファン３に空気が流れ、ファン吹出口７ｄから送り出される。ここで、ファン吹出口７ｄは矩形状であるものとする。送風部２０の吹出口となるファン吹出口７ｄは、熱交換器６およびケース吹出口２に向けて開口している。このため、送風部２０から吹出される空気は、基本的に、熱交換器６およびケース吹出口２の方向に向かって流れる。
【００２１】
また、渦型ケーシング７の側壁７ｃには、少なくとも１つのファン吸込口９が設けられている。そして、ファン吸込口９には、ベルマウス５が配置されている。ベルマウス５はファン３に流入する空気を整流する。ベルマウス５は、ファン３における空気の流入口に対向する位置に配置されている。仕切板１０は、ファン吸込口９とファン吹出口７ｄとの間を仕切る板である。渦型ケーシング７のファン吸込口９は送風ユニット１６側の空間に位置し、渦型ケーシング７のファン吹出口７ｄは本体ユニット１５側の空間に位置する。
【００２２】
そして、実施の形態１における室内機は、ガイド部１１を有している。ガイド部１１は、渦型ケーシング７のファン吹出口７ｄから送り出される空気を熱交換器６まで導く壁となる。ここでは、ファン３の回転方向となる高さ方向を横切る上下側の縁にガイドが設けられる。実施の形態１では、上部ガイド１１ａおよび下部ガイド１１ｂが配設されている。ここで、上部ガイド１１ａおよび下部ガイド１１ｂは、ファン吹出口７ｄの向きに沿ってファン吹出口７ｄの上縁および下縁を延長させたのではなく、渦型ケーシング７のファン吹出口７ｄの上縁部および下縁部から、それぞれ熱交換器６の上端部分および下端部分に向け、拡大させて設置されたものである。図５には、ファン吹出口７ｄと相対して送風部２０を見たときのファン吹出口７ｄとガイド部１１の端面との関係を示している。これにより、風量を増大させつつ、ファン吹出口７ｄから送り出される空気の整流化をはかることができる。また、ファン吹出口７ｄにおいて、ファン３の回転方向となる高さ方向に沿う側方側（横側）の縁においては、ガイドを設けず、延長されないようにし、開放状態となるようにしている。
【００２３】
たとえば、側方側が閉じられていると、設定した方向に導くには有利である。しかしながら、壁に沿った空気は、壁から出た後、幅方向に急拡大して吹出すことになる。このため、熱交換器６に流入する空気は、幅方向において風速が異なってしまい、風速分布が均一でなくなる。一方、実施の形態１における室内機では、ガイド部１１において、側方に係る壁が延長されず、側方が開放状態となっている。このため、渦型ケーシング７のファン吹出口７ｄから吹出された空気が、淀みなく幅方向に一様に広がり、熱交換器６に流入する空気の幅方向における風速分布が均一になることが期待できる。ここで、ガイド部１１となる上部ガイド１１ａおよび下部ガイド１１ｂの材質については限定しない。たとえば、発泡スチロールなどの材質でもよい。また、ガイド部１１について、熱交換器６の上端部分および下端部分に向けて延びて形成される際の延長方向の形状は、どのような形状としてもよい。
【００２４】
次に、送風部２０のファン３を回転させたときの空気の流れについて説明する。電力供給されると、ファンモータ４が駆動し、ファン３が回転する。ファン３が回転すると、たとえば、空調対象となる部屋の空気が、ケース吸込口８からケース１内に流入する。ケース１内に吸込まれた空気は、渦型ケーシング７が有するファン吸込口９を通過し、ベルマウス５によって案内されて、ファン３に流入する。さらに、ファン３に流入した空気は、ファン３の径方向および外向きに吹出される。ファン３から吹出された空気は、渦型ケーシング７の内部を通過後、渦型ケーシング７が有するファン吹出口７ｄから吹出される。吹出された空気は熱交換器６を通過する。熱交換器６に供給された空気は、熱交換器６を通過する際に、熱交換され、および湿度調整される。その後、空気は、ケース吹出口２からケース１外に吹出される。
【００２５】
ここで、実施の形態１の室内機においては、渦型ケーシング７のファン吹出口７ｄから吹出された空気は、ガイド部１１に沿って流れる。熱交換器６まで延ばしたガイド部１１が設けられていることで、吹出された空気は、奥行き方向の流れについては、ケース１の形状の影響を受けず、上部ガイド１１ａおよび下部ガイド１１ｂから剥離せずに、熱交換器６に到達する。また、ファン吹出口７ｄから吹出された空気は、幅方向に対しては一様に広がっていく。このため、風速の均一化をはかることができる。以上のように、ケース１における形状の影響を抑制することができる。また、たとえば、仕切板１０、ファン吹出口７ｄ付近において、空気が渦になることを抑制することができる。
【００２６】
以上のように、構成された実施の形態１の渦型ケーシング７によれば、熱交換器６の通過風速を均一化し、吐出口付近の渦領域を抑制することで、気流の乱れによる圧力損失を低減することができ、風量、静圧効果の向上などによる高効率化、低騒音化などをはかることができる。
【００２７】
実施の形態２．
図６は、本発明の実施の形態２に係る空気調和装置の室内機を説明する図である。図６では、室内機の内部構成について、上面側から示している。次に、図６に基づいて、本発明の実施の形態２における室内機について説明する。
【００２８】
前述した実施の形態１の室内機は、渦型ケーシング７の吹出口の上下部分に上部ガイド１１ａおよび下部ガイド１１ｂが設けられ、渦型ケーシング７から吹出された空気が、熱交換器６の上下端部まで導かれるようにするものであった。実施の形態２の室内機は、渦型ケーシング７から延長されたガイド部１１において、風路の壁面が凹凸を有するようにしたものである。ここでは、ガイド部１１にリブ１２を設ける。図６におけるリブ１２は、直方体形状である。ここで、実施の形態２のリブ１２は、ファン３の回転によって空気が流れる奥行き方向に沿うように設ける。このため、ガイド部１１の壁面に沿って、渦型ケーシング７から熱交換器６に向かって流れる空気をさらに整流させることができる。ここでは、リブ１２を設けたが、たとえば、スリットなどでもよい。
【００２９】
図７および図８は、本発明の実施の形態２に係るガイド部１１が有するリブ１２の形状を示す図である。前述した図６では、直方体形状のリブ１２を示したが、形状を限定するものではない。たとえば、図７に示すように、流線形状のリブ１２としてもよい。また、図８に示すように、円弧状のリブ１２としてもよい。
【００３０】
以上のように、実施の形態２の室内機によれば、ガイド部１１にリブ１２を有するようにしたので、ガイド部１１における空気の流れを整流させることができる。このため、実施の形態１において記載した効果に加え、渦型ケーシング７の吹出側の風路において、気流の剥離を抑制することができる。したがって、圧力損失を低減することができ、風量、静圧効果の向上などによる高効率化、低騒音化などをはかることができる。
【００３１】
実施の形態３．
図９は、本発明の実施の形態３に係る空気調和装置の室内機を説明する図である。図９では、室内機の内部構成について、上面側から示している。次に、図９に基づいて、本発明の実施の形態３における室内機について説明する。
【００３２】
前述した実施の形態１の室内機は、渦型ケーシング７の吹出口の上下部分にガイド部１１が設けられ、渦型ケーシング７から吹出された空気が、熱交換器６の上下端部まで導かれるようにするものであった。ここで、実施の形態１の室内機におけるガイド部１１の壁は、奥行き方向において、吹出口側から熱交換器６側に向けて平行であった。
【００３３】
実施の形態３の室内機では、ガイド部１１の壁が、吹出口側から熱交換器６側に向けて、側壁７ｃの方向である幅（側方）方向に拡大される形状であるものとする。このため、渦型ケーシング７から流出する空気を十分に拡大させることができる。そして、熱交換器６を通過する空気の風速の幅方向の分布を、さらに均一化することができる。
【００３４】
ここで、側壁方向に拡大していく外周部分については、たとえば、円弧状で徐々に拡大させていくようにしてもよい。また、拡大していく際の角度については急拡大させるなど、形状については限定するものではない。
【００３５】
以上のように、実施の形態３の室内機によれば、ガイド部１１の壁が、吹出口側から熱交換器６側に向けて、側壁７ｃの方向に拡大される形状としたので、熱交換器６を通過する空気の風速の幅方向の分布を均一化することができる。このため、実施の形態１において記載した効果に加え、渦型ケーシング７の吹出側の風路において、さらに渦領域を抑制することができる。したがって、風量、静圧効果の向上などによる高効率化、低騒音化などをはかることができる。
【００３６】
実施の形態４．
図１０は、本発明の実施の形態４に係る空気調和装置の室内機における送風部２０を説明する図である。次に、図１０に基づいて、本発明の実施の形態４における室内機について説明する。
【００３７】
実施の形態４の室内機におけるガイド部１１の上部ガイド１１ａおよび下部ガイド１１ｂは、側方端部が傾斜した、傾斜部となる側方傾斜部１１ｃを有するものである。側方傾斜部１１ｃは、上部ガイド１１ａおよび下部ガイド１１ｂの側方端部を折り曲げるなどして形成されている。図１０には、ファン吹出口７ｄと相対して送風部２０を見たときのファン吹出口７ｄとガイド部１１の端面との関係を示している。
【００３８】
ここで、実施の形態４のガイド部１１においても、側方傾斜部１１ｃによって側方を閉じることなく、開放された状態にする。また、側方傾斜部１１ｃは、高さ方向に垂直にせず、傾斜を有している。側方端部を垂直に構成すると、幅方向に広がる空気の流れを阻害し、熱交換器６に流入する空気の風速などを均一にすることができなくなる可能性があるからである。傾斜角度αは、好ましくは５０°以下であるものとする。
【００３９】
また、上部ガイド１１ａと下部ガイド１１ｂとにおける側方傾斜部１１ｃの傾斜角度α、長さなどは、それぞれを同じにしてもよいし、異なるようにしてもよい。さらに、形状は特に限定しない。また、上部ガイド１１ａおよび下部ガイド１１ｂのうち、いずれか一方が側方傾斜部１１ｃを有するようにしてもよい。
【００４０】
以上のように、実施の形態４における空気調和装置によれば、上部ガイド１１ａおよび下部ガイド１１ｂが、側方傾斜部１１ｃを有するようにしたので、側壁７ｃの方向における気流の剥離を低減することができる。このため、実施の形態１〜実施の形態３に記載した効果に加え、圧力損失をさらに低減させることができ、風量、静圧効果の向上などによる高効率化、低騒音化などをはかることができる。
【００４１】
実施の形態５．
図１１は、本発明の実施の形態５に係る空気調和装置の室内機を説明する図である。図１１では、室内機の内部構成を幅方向側から示している。次に、図１１に基づいて、本発明の実施の形態５における空気調和装置について説明する。
【００４２】
たとえば、実施の形態１の空気調和装置においては、図５に示すように、渦型ケーシング７にガイド部１１を取り付けて、一体となるようにしている。しかしながら、これに限定するものではない。特に、実施の形態４のように、ガイド部１１の上部ガイド１１ａおよび下部ガイド１１ｂの少なくとも一方が、吹出口側から熱交換器６側に向けて、側壁７ｃの方向に拡大される形状である場合、室内機を製造する際、ガイド部１１については、仕切板１０を通すことができない。このため、渦型ケーシング７の舌部７ｂを仕切板１０に通した後に、ガイド部１１となる部分を取り付けることになる。また、送風部２０を一体形成することも難しい。
【００４３】
そこで、実施の形態５の空気調和装置においては、ケース１の内壁に本体ユニット１５側のケース１の内壁にガイド部１１が取り付けられるようにし、ガイド部１１が本体ユニット１５側に収容されるようにする。そして、本体ユニット１５と送風ユニット１６と組み合わせる際、舌部７ｂとガイド部１１とを接合などする。ここで、ガイド部１１を仕切板１０などと一体形成するようにしてもよい。
【００４４】
以上のように、実施の形態５の空気調和装置によれば、ガイド部１１を本体ユニット１５側に形成しておくことで、実施の形態１〜実施の形態４の効果を実現する室内機の組み立てを容易に行うことができる。
【００４５】
実施の形態６．
図１２は、本発明の実施の形態６に係る空気調和装置の室内機を説明する図である。図１２では、室内機の内部構成について、上面側から示している。上述した実施の形態１〜実施の形態５においては、各渦型ケーシング７に、それぞれガイド部１１の上部ガイド１１ａおよび下部ガイド１１ｂを取り付けるようにした。しかしながら、これに限定するものではない。たとえば、複数の渦型ケーシング７に共通した上部ガイド１１ａおよび下部ガイド１１ｂを取り付けるようにしてもよい。
【００４６】
また、上述した実施の形態１〜実施の形態５においては、熱交換器６がフィンアンドチューブ型熱交換器であるものとして説明したが、これに限定するものではない。たとえば、空気を加湿などさせるため、水分を滴下する加湿材を熱交換器などとしてもよい。
【００４７】
実施の形態７．
図１３は、本発明の実施の形態７に係る空気調和装置の室内機を説明する図である。図１３では、回転軸方向に室内機を見た場合の室内機の内部構成について示している。実施の形態１の室内機では、図４のように、ファン吹出口７ｄから熱交換器６まで空気の流路となるガイド部１１において、上部側において空気を誘導する誘導面を有する壁となる上部ガイド１１ａは、熱交換器６側に向けて延びる延長方向の形状が直線状であった。
【００４８】
実施の形態７の室内機は、上部ガイド１１ａの代わりに、上部ガイド１１ｄを有している。上部ガイド１１ｄの延長方向における形状は、図１３に示すように、ファン吹出口７ｄから熱交換器６に向けて下に凸の形状となっている。したがって、上部ガイド１１ｄの壁となる誘導面は、ファン吹出口７ｄから熱交換器６に向けて延びる途中で、下側から上側に向かう反りを有する曲面になっている。
【００４９】
実施の形態７における室内機のように、ファン吹出口７ｄから熱交換器６に向けて延びる途中で、延長方向における形状が下に凸の形状となる上部ガイド１１ｄを有することで、ファン吹出口７ｄと上部ガイド１１ｄとにより壁面が連続して延びる。このため、ファン吹出口７ｄから吹き出した空気の急拡大損失を小さくすることができる。
【００５０】
また、実施の形態７の室内機においては、上部ガイド１１ｄの延長方向における形状が下に凸の形状であるため、ファン吹出口７ｄから送り出される空気を、上方側に導くことができる。ここで、図１３に示すように、渦型ケーシング７が、ファン回転方向に回転させた状態（図１３における反時計回り）となるように設置されると、ファン吹出口７ｄの上縁部における向きは、水平方向よりも下方に向かって延びる向きになる。実施の形態７の室内機では、ファン吹出口７ｄの上縁部が水平方向よりも下方に向いていても、上部ガイド１１ｄが、壁面に沿って空気を上方に導き、熱交換器６の上端部分に送ることができる。このため、上部に誘導面がない場合に比べて、熱交換器６への風速分布の偏りを小さく保つことができる。
【００５１】
実施の形態８．
図１４は、本発明の実施の形態８に係る空気調和装置の室内機を説明する図である。図１４では、回転軸方向に室内機を見た場合の室内機の内部構成について示している。実施の形態１の室内機では、図４のように、ファン吹出口７ｄから熱交換器６まで空気の流路となるガイド部１１において、下部側において空気を誘導する誘導面を有する壁となる下部ガイド１１ｂは、熱交換器６側に向けて延びる延長方向の形状が直線状であった。
【００５２】
実施の形態８の室内機は、下部ガイド１１ｂの代わりに、下部ガイド１１ｅを有している。下部ガイド１１ｅの延長方向における形状は、図１４に示すように、ファン吹出口７ｄから熱交換器６に向けて下に凸の形状となっている。したがって、下部ガイド１１ｅの壁となる誘導面は、ファン吹出口７ｄから熱交換器６に向けて延びる途中で、下側から上側に向かう反りを有する曲面になっている。
【００５３】
実施の形態８における室内機のように、ファン吹出口７ｄから熱交換器６に向けて延びる途中で、延長方向における形状が下に凸の形状となる下部ガイド１１ｅを有することで、ファン吹出口７ｄと下部ガイド１１ｅとにより壁面が連続して延びる。このため、ファン吹出口７ｄから吹き出した空気の急拡大損失を小さくすることができる。
【００５４】
また、実施の形態８の室内機においては、下部ガイド１１ｅの延長方向における形状が下に凸の形状であるため、ファン吹出口７ｄから送り出される空気を、上方側に導くことができる。ここで、図１４に示すように、渦型ケーシング７が、ファン回転方向に回転させた状態（図１４における反時計回り）となるように設置されると、ファン吹出口７ｄの下縁部における向きは、熱交換器６側に向かう方向よりも下方に向かって延びる向きになる。実施の形態８の室内機では、ファン吹出口７ｄの下縁部が、熱交換器６側に向かう方向よりも下方に向いていても、下部ガイド１１ｅが、壁面に沿って空気を上方に導き、熱交換器６の下端部分に送ることができる。このため、下部に誘導面がない場合に比べて、熱交換器６への風速分布の偏りを小さく保つことができる。
【００５５】
実施の形態９．
図１５は、本発明の実施の形態９に係る空気調和装置の室内機における送風部２０を説明する図である。図１５には、ファン吹出口７ｄと相対して送風部２０を見たときのファン吹出口７ｄとガイド部１１の端面の関係を示している。次に、図１５に基づいて、本発明の実施の形態９における室内機について説明する。
【００５６】
実施の形態９の室内機のガイド部１１では、ファン吹出口７ｄと相対して送風部２０を見たとき、上部ガイド１１ａおよび下部ガイド１１ｂが円弧状をなしている。したがって、上部ガイド１１ａおよび下部ガイド１１ｂには、曲面が形成されている。上部ガイド１１ａおよび下部ガイド１１ｂが円弧状になっていることで、上部ガイド１１ａおよび下部ガイド１１ｂの側方部分が、上下方向に傾斜している。ここで、上部ガイド１１ａおよび下部ガイド１１ｂの傾斜部分によって、側方を完全に覆ってしまわず、開放された状態にする。
【００５７】
上部ガイド１１ａおよび下部ガイド１１ｂの曲面における曲率など、曲げの程度などについては、上部ガイド１１ａおよび下部ガイド１１ｂを同じ程度の曲げにしてもよいし、異なるようにしてもよい。さらに、形状は特に限定しない。また、上部ガイド１１ａおよび下部ガイド１１ｂのうち、いずれか一方が円弧状であってもよい。
【００５８】
以上のように、実施の形態９における空気調和装置によれば、側方が傾斜する円弧状となる上部ガイド１１ａおよび下部ガイド１１ｂを有するようにしたので、側方における気流の剥離を低減することができる。このため、気流の乱れによる圧力損失を低減することができ、風量、静圧効果の向上などによる高効率化、低騒音化などを実現することができる。さらに、圧力損失をさらに低減させることができ、風量、静圧効果の向上などによる高効率化、低騒音化などを実現することができる。
【００５９】
実施の形態１０．
図１６は、本発明の実施の形態１０に係る空気調和装置の構成を示す図である。実施の形態７では、上述した実施の形態１〜実施の形態９に記載した室内機を有する空気調和装置について説明する。図１６の空気調和装置は、室外機１００と室内機２００とを備え、これらが冷媒配管で連結され、冷媒回路を構成して冷媒を循環させている。冷媒配管のうち、気体の冷媒（ガス冷媒）が流れる配管をガス配管３００とし、液体の冷媒（液冷媒。気液二相冷媒の場合もある）が流れる配管を液配管４００とする。
【００６０】
室内機２００は、負荷側熱交換器２０１および負荷側送風機２０２を有している。負荷側熱交換器２０１は、実施の形態１〜実施の形態６における熱交換器６と同様に、冷媒と空気との熱交換を行う。負荷側熱交換器２０１は、たとえば、暖房運転時においては凝縮器として機能し、ガス配管３００から流入した冷媒と空気との熱交換を行い、冷媒を凝縮させて液化（または気液二相化）させ、液配管４００側に流出させる。一方、冷房運転時においては蒸発器として機能し、たとえば絞り装置１０５により低圧状態にされた冷媒と空気との熱交換を行い、冷媒に空気の熱を奪わせて蒸発させて気化させ、ガス配管３００側に流出させる。
【００６１】
また、室内機２００には、冷媒と空気との熱交換を効率よく行うため、空気の流れを調整する負荷側送風機２０２が設けられている。負荷側送風機２０２は、実施の形態１〜実施の形態６におけるファン３などを有する送風部２０と同様の機能を有する機器である。負荷側送風機２０２は、たとえば利用者の風量設定により決定された速度で回転駆動する。
【００６２】
一方、室外機１００は、実施の形態７においては、圧縮機１０１、四方弁１０２、室外側熱交換器１０３、室外側送風機１０４および絞り装置（膨張弁）１０５を有している。
【００６３】
圧縮機１０１は、吸入した冷媒を圧縮して吐出する。ここで、圧縮機１０１は、インバータ装置などを備え、運転周波数を任意に変化させることにより、圧縮機１０１の容量（単位時間あたりの冷媒を送り出す量）を細かく変化させることができるものとする。四方弁１０２は、制御装置（図示せず）からの指示に基づいて冷房運転時と暖房運転時とによって冷媒の流れを切り換える。
【００６４】
また、室外側熱交換器１０３は、冷媒と空気（室外の空気）との熱交換を行う。たとえば、暖房運転時においては蒸発器として機能し、液配管４００から流入した低圧の冷媒と空気との熱交換を行い、冷媒を蒸発させ、気化させる。また、冷房運転時においては凝縮器として機能し、四方弁１０２側から流入した圧縮機１０１において圧縮された冷媒と空気との熱交換を行い、冷媒を凝縮して液化させる。室外側熱交換器１０３には、室外側送風機１０４が設けられている。室外側送風機１０４についても、インバータ装置によりファンモータ４の運転周波数を任意に変化させてファンの回転速度を細かく変化させるようにしてもよい。また、実施の形態１〜実施の形態６における送風部２０を、室外側送風機１０４に用いてもよい。絞り装置１０５は、開度を変化させることで、冷媒の圧力などを調整するために設ける。
【００６５】
以上のように、実施の形態１０の空気調和装置が、実施の形態１〜実施の形態９において説明した室内機を有するようにしたので、風量、静圧効果の向上などによる高効率化、低騒音化などをはかることができる。
【００６６】
上述した各実施の形態では、好ましい実施の形態を参照して本発明の内容を具体的に説明したが、本発明の基本的技術思想および教示に基づいて、当業者であれば、種々の改変態様を採り得ることは自明である。
【産業上の利用可能性】
【００６７】
上述した実施の形態１〜実施の形態１０では、空気調和装置への適用について説明した。本発明は、これらの装置に限定することなく、たとえば、冷凍装置、給湯器など、冷媒回路を構成して冷却、除湿、加湿などを行う、他の冷凍サイクル装置にも適用することができる。
【符号の説明】
【００６８】
１  ケース、１ａ  上面部、１ｂ  下面部、１ｃ  側面部、２  ケース吹出口、３  ファン、３ａ  主板、３ｂ  ボス部、３ｃ  側板、３ｄ  翼、４  ファンモータ、４ａ  モータサポート、５  ベルマウス、６  熱交換器、７  渦型ケーシング、７ａ  周壁、７ｂ  舌部、７ｃ  側壁、７ｄ  ファン吹出口（吹出口）、８  ケース吸込口、９  ファン吸込口、１０  仕切板、１１  ガイド部、１１ａ、１１ｄ  上部ガイド、１１ｂ、１１ｅ  下部ガイド、１１ｃ  側方傾斜部（傾斜部）、１２  リブ、１５  本体ユニット、１６  送風ユニット、２０  送風部、１００  室外機、１０１  圧縮機、１０２  四方弁、１０３  室外側熱交換器、１０４  室外側送風機、１０５  絞り装置、２００  室内機、２０１  負荷側熱交換器、２０２  負荷側送風機、３００  ガス配管、４００  液配管。
【図１】
0006732037.tif 000002
【図２】
0006732037.tif 000003
【図３】
0006732037.tif 000004
【図４】
0006732037.tif 000005
【図５】
0006732037.tif 000006
【図６】
0006732037.tif 000007
【図７】
0006732037.tif 000008
【図８】
0006732037.tif 000009
【図９】
0006732037.tif 000010
【図１０】
0006732037.tif 000011
【図１１】
0006732037.tif 000012
【図１２】
0006732037.tif 000013
【図１３】
0006732037.tif 000014
【図１４】
0006732037.tif 000015
【図１５】
0006732037.tif 000016
【図１６】
0006732037.tif 000017